(57)【要約】【課題】玉掛けワイヤで玉掛けされた矢板材を吊り下げて複数積み上げるに当って、迅速かつ安定的に吊荷用ロープ材の撤去を行うことを可能とする吊荷用ロープ材の撤去用ローラ及び吊荷用ロープ材の撤去方法を提供すること【解決手段】玉掛けワイヤ２０で吊り下げられた矢板材１０を複数積み上げる際に、下方の矢板材１０ａ上に積み上げられる上方の矢板材１０ｂから玉掛けワイヤ２０を撤去するために、下方の矢板材１０ａと上方の矢板材１０ｂとの間に配設される撤去用ローラ３０である。下方の矢板材１０ａの上面１０ａ３に当接する下部ローラ部３２、上方の矢板材１０ｂの下面１０ｂ３に当接する上部ローラ部３３、引張用ワイヤ３６等を備える。【選択図】　　　図４
2004083215.tif 000002
【特許請求の範囲】
【請求項１】
吊荷用ロープ材で玉掛けされた長尺部材を吊り下げて載置面に載置するに当って、前記載置面と前記長尺部材との間に介装され、前記載置面と前記長尺部材との間に、前記吊荷用ロープ材を撤去するための隙間を形成し、撤去後に前記載置面と前記長尺部材との間から引張り出される吊荷用ロープ材の撤去用ローラであって、
撤去用ローラ本体と、
前記撤去用ローラ本体に設けられ、前記載置面に当接する下部ローラ部と、
前記撤去用ローラ本体に設けられ、前記長尺部材の下面に当接する上部ローラ部と、
前記撤去用ローラ本体に設けられる引張用ロープ材とを備えることを特徴とする吊荷用ロープ材の撤去用ローラ。
【請求項２】
吊荷用ロープ材で玉掛けされた長尺部材を吊り下げて載置面に載置するに当って、
先に、請求項１に記載の吊荷用ロープ材の撤去用ローラを、前記下部ローラ部が前記載置面に当接した状態に配設しておき、
次に、前記長尺部材を、その下面が前記上部ローラ部に当接した状態に前記載置面に載置して、前記載置面と前記長尺部材との間に、前記吊荷用ロープ材を撤去するための隙間を形成し、
次に、前記吊荷用ロープ材を撤去し、
次に、前記引張用ロープ材を引張って、前記撤去用ローラを前記載置面と前記長尺部材との間から引張り出すことを特徴とする吊荷用ロープ材の撤去方法。
【発明の詳細な説明】
【０００１】
【発明の属する技術分野】
本発明は、長尺部材を吊荷用ロープ材で吊り下げながら複数同方向に積み上げる際に、下方の長尺部材上に吊荷用ロープ材で吊り下げられて積み上げられる上方の長尺部材から前記吊荷用ロープ材を撤去するための、吊荷用ロープ材の撤去用ローラ及び吊荷用ロープ材の撤去方法に関する。
【０００２】
【従来の技術】
従来、土留め等を行うための矢板材は、一般に仮設材リース会社からリースされて現場に搬入され、現場において使用された後、再び仮設材リース会社に返却される。この際、矢板材の現場への搬入、現場からの搬出は、トラック等によって行われ、トラック等において矢板材は、安定性、積載スペースの確保等の点から複数積み上げられた状態で積載される。この矢板材を複数積み上げる作業は、一般に玉掛けされた矢板材を一本ずつクレーンで吊り下げることによって行われる。
【０００３】
ところで、このような方法においては玉掛けワイヤを矢板材から逐一撤去する必要がある。従来においては、以下のような方法で玉掛けワイヤを撤去していた。
すなわち、下方の矢板材の上面のうち、一端部から中央に全長の３分の１程度の位置１箇所にバタ角をおく。
次に、吊荷用ロープ材で吊り下げた上方の矢板材を、その下面がバタ角に当接した状態に下方の矢板材上に積み上げて、玉掛けワイヤを上方の矢板材の一端部側に移動させて撤去可能な隙間を、下方の矢板材の一端部上方に形成する。なお、上方の矢板材に設けられる玉掛けワイヤは、その積み上げられた状態でバタ角の位置よりさらに前記一端部側に寄った位置となるように設けられるものである。
次に、玉掛けワイヤを、前記隙間を利用して上方の矢板材の一端部側へ移動させて撤去する。
次に、上方の矢板材の一端部を別のワイヤを用いてクレーンで僅かに吊り上げ、バタ角を撤去した後に吊り下げる。
以上の方法で行われる。
【０００４】
【発明が解決しようとする課題】
しかしながら、前記した従来の方法においては、玉掛けワイヤを撤去する際に、上方の矢板材をクレーンによって僅かに吊り上げる作業が必要であり、この作業のために矢板材を積み上げる作業スピードが落ちることが指摘されていた。しかも、場合によっては、下方の矢板材と上方の矢板材との間に挟まった状態のバタ角を、ハンマ等で打ち抜いて撤去するという不安定な作業が必要であった。
【０００５】
玉掛けワイヤ等の吊荷用ロープ材で玉掛けされた、矢板材等の長尺部材を吊り下げて載置面に載置するに当って、迅速かつ安定的に吊荷用ロープ材の撤去を行うことを可能とする吊荷用ロープ材の撤去用ローラ及び吊荷用ロープ材の撤去方法を提供することである。
【０００６】
【課題を解決するための手段】
上記課題を解決するため、請求項１に記載の発明は、例えば図１〜図９に示すように、
吊荷用ロープ材（玉掛けワイヤ２０）で玉掛けされた長尺部材（上方の矢板材１０ｂ）を吊り下げて載置面（下方の矢板材１０ａの上面１０ａ３）に載置するに当って、前記載置面（下方の矢板材１０ａの上面１０ａ３）と前記長尺部材（上方の矢板材１０ｂ）との間に介装され、前記載置面（下方の矢板材１０ａの上面１０ａ３）と前記長尺部材（上方の矢板材１０ｂ）との間に、前記吊荷用ロープ材（玉掛けワイヤ２０）を撤去するための隙間ｓ１を形成し、撤去後に前記載置面（下方の矢板材１０ａの上面１０ａ３）と前記長尺部材（上方の矢板材１０ｂ）との間から引張り出される吊荷用ロープ材（玉掛けワイヤ２０）の撤去用ローラ３０であって、
撤去用ローラ本体３１と、
前記撤去用ローラ本体３１に設けられ、前記載置面（下方の矢板材１０ａの上面１０ａ３）に当接する下部ローラ部３２と、
前記撤去用ローラ本体３１に設けられ、前記長尺部材（上方の矢板材１０ｂ）の下面１０ｂ３に当接する上部ローラ部３３と、
前記撤去用ローラ本体３１に設けられる引張用ロープ材（引張用ワイヤ３６）とを備えることを特徴としている。
【０００７】
請求項１に記載の発明によれば、前記撤去用ローラによって、前記載置面と前記長尺部材との間に、前記吊荷用ロープ材を撤去するための隙間が形成される。したがって、前記吊荷用ロープ材を、前記隙間を利用して撤去することができる。この後、前記引張用ロープ材を引張ることによって、前記下部ローラ部と前記上部ローラ部とが前記載置面と前記長尺部材の下面とにそれぞれ当接しながら回動する。これにより、前記撤去用ローラを、前記載置面と前記長尺部材との間から引張り出すことができる。すなわち、吊荷用ロープ材で玉掛けされた長尺部材を吊り下げて載置面に載置するに当って、従来のバタ角を用いる方法に比して、迅速かつ安定的に吊荷用ロープ材の撤去を行うことができる。
【０００８】
なお、前記長尺部材としては、土留めを行うための、木製、鉄筋コンクリート製、鋼製等の矢板、Ｈ鋼、角型鋼等の建築用鋼材、その他、建築用木材等が考えられる。
【０００９】
なお、前記載置面としては、例えば、比較的平滑な地盤面や床面等のほか、先に載置された長尺部材の上面等がある。
【００１０】
なお、前記吊荷用ロープ材としては、例えば、わら等を寄り合わせてなる縄や綱、鋼線を寄り合わせてなるワイヤ等がある。
【００１１】
なお、前記撤去用ローラの配設姿勢を安定させるための方法としては、例えば、下部ローラ部と上部ローラ部とを、それぞれ長尺部材の軸方向に複数形成しておく方法が考えられる。
【００１２】
また、例えば、配設状態の撤去用ローラ本体に、前記載置面と前記長尺部材の下面とのうち少なくとも一方に当接する当接部を設けておく方法等が考えられる。
【００１３】
請求項２に記載の発明は、例えば図５〜図９に示すように、
吊荷用ロープ材（玉掛けワイヤ２０）で玉掛けされた長尺部材（上方の矢板材１０ｂ）を吊り下げて載置面（下方の矢板材１０ａの上面１０ａ３）に載置するに当って、
先に、請求項１に記載の吊荷用ロープ材（玉掛けワイヤ２０）の撤去用ローラ３０を、前記下部ローラ部３２が前記載置面（下方の矢板材１０ａの上面１０ａ３）に当接した状態に配設しておき、
次に、前記長尺部材（上方の矢板材１０ｂ）を、その下面１０ｂ３が前記上部ローラ部３３に当接した状態に前記載置面（下方の矢板材１０ａの上面１０ａ３）に載置して、前記載置面（下方の矢板材１０ａの上面１０ａ３）と前記長尺部材（上方の矢板材１０ｂ）との間に、前記吊荷用ロープ材（玉掛けワイヤ２０）を撤去するための隙間ｓ１を形成し、
次に、前記吊荷用ロープ材（玉掛けワイヤ２０）を撤去し、
次に、前記引張用ロープ材（引張用ワイヤ３６）を引張って、前記撤去用ローラ３０を前記載置面（下方の矢板材１０ａの上面１０ａ３）と前記長尺部材（上方の矢板材１０ｂ）との間から引張り出すことを特徴としている。
【００１４】
請求項２に記載の発明によれば、撤去用ローラは、前記下部ローラ部が前記載置面に当接した状態に配設される。そして、吊荷用ロープ材で玉掛けされた前記長尺部材は、その下面が前記上部ローラ部に当接した状態に前記載置面に載置され、前記吊荷用ロープ材を撤去するための隙間が形成される。前記吊荷用ロープ材が撤去された後、前記引張用ロープ材が引張られることによって、前記下部ローラ部と前記上部ローラ部とが前記下方の長尺部材と前記上方の長尺部材とにそれぞれ当接しながら回動する。これにより、前記撤去用ローラが前記載置面と前記長尺部材の間から引張り出される。すなわち、吊荷用ロープ材で玉掛けされた長尺部材を吊り下げて載置面に載置するに当って、従来のバタ角を用いる方法に比して、迅速かつ安定的に吊荷用ロープ材の撤去を行うことができる。
【００１５】
【発明の実施の形態】
以下、図１〜図９を参照して、本発明に係る吊荷用ロープ材の撤去用ローラ及び吊荷用ロープ材の撤去方法の実施の形態について詳細に説明する。
【００１６】
図１において、符号１０は矢板材（長尺部材）、符号２０は本発明に係る玉掛けワイヤ（吊荷用ロープ材）、符号３０は、玉掛けワイヤ２０の撤去用ローラを示す。
【００１７】
図１〜図３に示す矢板材１０は、土留め等を行うために用いられ、一般に仮設材リース会社からリースされて現場に搬入され、使用された後に返却されるものである。この矢板材１０は、鋼製であり、図１等に示すように、断面視において漸次広がるような略コ字状に形成されており、さらに端部には外側にくびれた形状が形成されている。この矢板材１０は、土留めを行うために土中に打ち込まれて使用される。
【００１８】
玉掛けワイヤ２０は、図１等に示すように、トラック等によって矢板材１０を現場への搬入、現場からの搬出を行う際に、トラック等に、安定性、積載スペースの確保等の点から、矢板材１０をクレーン等によって複数積み上げて積載する際に用いられる。
【００１９】
撤去用ローラ３０は、矢板材１０を玉掛けワイヤで吊り下げて複数積み上げる際に、下方の矢板材１０ａ上に玉掛けワイヤ２０で吊り下げられて積み上げられる上方の矢板材１０ｂから玉掛けワイヤ２０を撤去するためのものである。
撤去用ローラ３０は、図４に示すように、撤去用ローラ本体３１、下部ローラ部３２、上部ローラ部３３、当接板３４、連結リング３５、引張用ワイヤ３６等から概略構成される。
【００２０】
撤去用ローラ本体３１は、当接板３４に溶接固定されており、さらに、この撤去用ローラ本体３１と当接板３４とにそれぞれ溶接固定される補強部材３１ａ、３１ｂを備えている。撤去用ローラ本体３１は、図７等にも示すように、下方の矢板材１０ａと上方の矢板材１０ｂとの間に配設され、玉掛けワイヤ２０を上方の矢板材１０ｂの一端部１０ｂ１側へ移動させて撤去可能な隙間ｓ１を、下方の矢板材１０ａの一端部１０ａ１上方に形成する。
【００２１】
下部ローラ部３２は、配設状態の撤去用ローラ本体３１の下部に設けられ、回転ローラ３２ａと、この回転ローラ３２ａを両側から回動可能に支持する支持部３２ｂとから構成される。そして、撤去用ローラ本体３１の配設状態においては、下方の矢板材１０ａの上面１０ａ３に回動可能に当接する。
【００２２】
上部ローラ部３３は、配設状態の撤去用ローラ本体３１の上部に設けられ、回転ローラ３３ａと、この回転ローラ３３ａを両側から回動可能に支持する支持部３３ｂとから構成される。そして、撤去用ローラ本体３１の配設状態においては、上方の矢板材１０ｂの下面１０ｂ３に回動可能に当接する。
【００２３】
当接板３４は、配設状態の撤去用ローラ本体３１の下部に、上方及び下方の矢板材１０ａ、１０ｂの他端部１０ａ２、１０ｂ２側に向けて溶接固定されている。そして、撤去用ローラ本体３１の配設状態においては、下方の矢板材１０ａの上面１０ａ３と上方の矢板材１０ｂの下面１０ｂ３とのうち少なくとも一方に当接する。
【００２４】
連結リング３５は、配設状態の撤去用ローラ本体３１に対し、上方及び下方の矢板材１０ａ、１０ｂの一端部１０ａ１、１０ｂ１側に回動可能に取り付けられている。
【００２５】
引張用ワイヤ３６は、配設状態の撤去用ローラ本体３１の連結リング３５に繋がれ、先端部３６ａが下方の矢板材１０ａの一端部１０ａ１から突出した状態に、下方の矢板材１０ａの上面１０ａ３に載置される。
【００２６】
次に、本発明に係る撤去用ローラ３０を用いた玉掛けワイヤ２０の撤去方法を、図５〜図９を参照して説明する。すなわち、矢板材１０を玉掛けワイヤ２０で吊り下げて複数積み上げる際に、下方の矢板材１０ａ上に玉掛けワイヤ２０で吊り下げられて積み上げられる上方の矢板材１０ｂから玉掛けワイヤ２０を撤去するための玉掛けワイヤ２０の撤去方法を説明する。
【００２７】
先ず、図５に示すように、施工現場の地盤ｅ上に、矢板材１０を複数積み上げ可能な場所を確保し、所定位置にバタ角ｗをおく。
【００２８】
次に、クレーンのフックから吊り下げられた玉掛けワイヤ２０で、一本の矢板材１０（下方の矢板材１０ａ）に対して、その一端部１０ａ１から中央に全長の３分の１程度の位置で玉掛けを行う。この後、クレーンで矢板材１０ａを吊り下げて、その下面がバタ角ｗに当接した状態に地盤上に載置して、玉掛けワイヤ２０を矢板材１０ａの一端部１０ａ１側に移動させて撤去可能な隙間ｓ０を地盤ｅとの間に形成する。
なお、矢板材１０ａに設けられる玉掛けワイヤ２０は、その載置された状態でバタ角ｗの位置よりさらに前記一端部１０ａ１側に寄った位置となるように設けられるものである。
【００２９】
次に、図６に示すように、撤去用ローラ３０を、下部ローラ部３２が下方の矢板材１０ａの上面１０ａ３に当接し、引張用ワイヤ３６の先端部３６ａが下方の矢板材１０ａの一端部１０ａ１から突出した状態に配設する。
【００３０】
次に、図７に示すように、吊荷用ロープ材で吊り下げた矢板材１０（上方の矢板材１０ｂ）を、その下面１０ｂ３が上部ローラ部３３に当接した状態に下方の矢板材１０ａ上に積み上げて、玉掛けワイヤ２０を上方の矢板材１０ｂの一端部１０ｂ１側に移動させて撤去可能な隙間ｓ１を、下方の矢板材１０ａの一端部１０ａ１上方に形成する。
【００３１】
次に、図８に示すように、玉掛けワイヤ２０を、隙間ｓ１を利用して上方の矢板材１０ｂの一端部１０ｂ１側へ移動させて撤去する。
【００３２】
次に、図９に示すように、引張用ワイヤ３６の先端部３６ａを引張ることにより、撤去用ローラ本体３１を上方及び下方の矢板材１０ａ、１０ｂの一端部１０ａ１、１０ｂ１側へ移動させて引き抜く。
【００３３】
以上のような工程を繰り返すことによって、矢板材を複数積み上げていくことができる。
【００３４】
本実施の形態によれば、撤去用ローラ本体３１によって、玉掛けワイヤ２０を上方の矢板材１０ｂの一端部１０ｂ１側へ移動させて撤去可能な隙間ｓ１が、下方の矢板材１０ａの一端部１０ａ１上方に形成される。したがって、玉掛けワイヤ２０を、隙間ｓ１を利用して上方の矢板材１０ｂの一端部１０ｂ１側へ移動させて撤去することができる。この後、下方の矢板材１０ａの一端部１０ａ１から突出した状態の引張用ワイヤ３６の先端部３６ａを引張ることによって、下部ローラ部３２と上部ローラ部３３とが下方の矢板材１０ａと上方の矢板材１０ｂとにそれぞれ当接しながら回動する。これにより、撤去用ローラ本体３１を下方及び上方の矢板材１０ａ、１０ｂの一端部１０ａ１、１０ｂ１側へ移動させて引き抜くことができる。すなわち、玉掛けワイヤ２０で玉掛けされた矢板材を吊り下げて、複数積み上げるに当って、従来のバタ角を用いる方法に比して、迅速かつ安定的に玉掛けワイヤ２０の撤去を行うことができる。
【００３５】
また、本実施の形態によれば、撤去用ローラ本体３１は、その配設状態で当接板３４が下方の矢板材１０ａの上面１０ａ３と前記上方の矢板材１０ｂの下面１０ｂ３とのうち少なくとも一方に当接することで配設姿勢が安定する。すなわち、下部ローラ部３２が下方の矢板材１０ａの上面１０ａ３に当接し、上部ローラ部３３が上方の矢板材１０ｂの下面１０ｂ３に当接した状態が安定的に形成される。したがって、さらに安定的に玉掛けワイヤ２０の撤去を行うことができる。
【００３６】
なお、本発明は本実施の形態に限定されるものではなく、本発明の趣旨を逸脱しない範囲で任意の変更が可能である。
【００３７】
例えば、本実施の形態においては、長尺部材として、土留めを行うための矢板材を記載しているが、特に矢板材に限定されるものではなく、例えば、Ｈ型鋼、角型鋼等の建築用鋼材、その他、建築用木材等でもよい。
【００３８】
【発明の効果】
請求項１に記載の発明によれば、前記撤去用ローラによって、前記載置面と前記長尺部材との間に形成された隙間を利用して、前記吊荷用ロープ材を撤去することができる。この後、前記引張用ロープ材を引張ることによって、前記下部ローラ部と前記上部ローラ部とが前記載置面と前記長尺部材の下面とにそれぞれ当接しながら回動するため、前記撤去用ローラを、前記載置面と前記長尺部材との間から引張り出すことができる。すなわち、吊荷用ロープ材で玉掛けされた長尺部材を吊り下げて載置面に載置するに当って、従来のバタ角を用いる方法に比して、迅速かつ安定的に吊荷用ロープ材の撤去を行うことができる。
【００３９】
請求項２に記載の発明によれば、前記撤去用ローラによって形成された隙間を利用して前記吊荷用ロープ材が撤去された後、前記引張用ロープ材が引張られることによって、前記下部ローラ部と前記上部ローラ部とが前記下方の長尺部材と前記上方の長尺部材とにそれぞれ当接しながら回動する。これにより、前記撤去用ローラが前記載置面と前記長尺部材の間から引張り出される。すなわち、吊荷用ロープ材で玉掛けされた長尺部材を吊り下げて載置面に載置するに当って、従来のバタ角を用いる方法に比して、迅速かつ安定的に吊荷用ロープ材の撤去を行うことができる。
【図面の簡単な説明】
【図１】本発明に係る撤去用ローラと、この撤去用ローラを用いながら複数積み上げられる矢板材とを示す、撤去用ローラ前方からの斜視図である。
【図２】本発明に係る撤去用ローラと、この撤去用ローラを用いながら複数積み上げられる矢板材とを示す、撤去用ローラ上方からの斜視図である。
【図３】本発明に係る撤去用ローラと、この撤去用ローラを用いながら複数積み上げられる矢板材とを示す、撤去用ローラ後方からの斜視図である。
【図４】本発明に係る撤去用ローラを示す、（ａ）は上面図、（ｂ）は側面図、（ｃ）は正面図である。。
【図５】本発明に係る撤去用ローラを用いながら、矢板材を複数積み上げる工程の一工程を示す、（ａ）は側面図、（ｂ）は上面図である。
【図６】本発明に係る撤去用ローラを用いながら、矢板材を複数積み上げる工程の一工程を示す、（ａ）は側面図、（ｂ）は上面図である。
【図７】本発明に係る撤去用ローラを用いながら、矢板材を複数積み上げる工程の一工程を示す、（ａ）は側面図、（ｂ）は上面図である。
【図８】本発明に係る撤去用ローラを用いながら、矢板材を複数積み上げる工程の一工程を示す、（ａ）は側面図、（ｂ）は上面図である。
【図９】本発明に係る撤去用ローラを用いながら、矢板材を複数積み上げる工程の一工程を示す、（ａ）は側面図、（ｂ）は上面図である。
【符号の説明】
１０　　　　　　矢板材（長尺部材）
１０ａ　　　　下方の矢板材
１０ａ３　　上面（載置面）
１０ｂ　　　　上方の矢板材
１０ｂ３　　下面
２０　　　　　　玉掛けワイヤ（吊荷用ロープ材）
３０　　　　　　撤去用ローラ
３１　　　　　撤去用ローラ本体
３２　　　　　下部ローラ部
３３　　　　　上部ローラ部
３６　　　　　引張用ワイヤ（引張用ロープ材）
ｓ１　　　　　　隙間
【図１】
2004083215.tif 000003
【図２】
2004083215.tif 000004
【図３】
2004083215.tif 000005
【図４】
2004083215.tif 000006
【図５】
2004083215.tif 000007
【図６】
2004083215.tif 000008
【図７】
2004083215.tif 000009
【図８】
2004083215.tif 000010
【図９】
2004083215.tif 000011